(57)【要約】  外気調和機およびその冷風防止制御方法及び装置であって、当該方法は、外気調和機の暖房モードから冷房モードへの切り替え中に、外気調和機の設定温度、送風温度および外気調和機の室内熱交換器の中部温度をリアルタイムに取得するステップ（Ｓ１）と、外気調和機の現在の排気風速と設定風速を取得するステップ（Ｓ２）と、設定温度、送風温度、室内熱交換器の中部温度、現在の排気風速および設定風速に基づいて、外気調和機の排気風速を調整するステップ（Ｓ３）と、を含む。
2020505577.tif 000002
【特許請求の範囲】
【請求項１】
外気調和機の暖房モードから冷房モードへの切り替え中に、前記外気調和機の設定温度、送風温度および前記外気調和機の室内熱交換器の中部温度をリアルタイムに取得するステップと、
前記外気調和機の現在の排気風速と設定風速を取得するステップと、
前記設定温度、前記送風温度、前記室内熱交換器の中部温度、前記現在の排気風速および前記設定風速に基づいて、前記外気調和機の排気風速を調整するステップと、を含む、
ことを特徴とする外気調和機の冷風防止制御方法。
【請求項２】
前記設定温度、前記送風温度、前記室内熱交換器の中部温度、前記現在の排気風速および前記設定風速に基づいて、前記外気調和機の排気風速を調整するステップは、
前記外気調和機の現在の排気風速が０風速である場合、前記送風温度と前記室内熱交換器の中部温度のうちの最大値が第１所定温度値より大きいか否かを判断するステップと、
前記送風温度と前記室内熱交換器の中部温度のうちの最大値が前記第１所定温度値より大きい場合、前記外気調和機の排気風速を、０風速より大きくかつ前記設定風速より小さい第１風速に調整するステップと、
前記外気調和機の現在の排気風速が前記第１風速である場合、前記送風温度が、前記第１所定温度値より大きい第２所定温度値より大きいか否かを判断するステップと、
前記送風温度が前記第２所定温度値より大きい場合、前記外気調和機の排気風速を前記設定風速に調整するステップと、を含む、
ことを特徴とする請求項１に記載の外気調和機の冷風防止制御方法。
【請求項３】
前記設定温度、前記送風温度、前記室内熱交換器の中部温度、前記現在の排気風速および前記設定風速に基づいて、前記外気調和機の排気風速を調整するステップは、
前記外気調和機の現在の排気風速が前記設定風速である場合、前記送風温度が第３所定温度値より小さいか否かを判断するステップと、
前記送風温度が前記第３所定温度値より小さい場合、前記外気調和機の排気風速を前記第１風速に調整するステップと、
前記外気調和機の現在の排気風速が前記第１風速である場合、前記送風温度が、前記第３所定温度値より小さい第４所定温度値より小さいか否かを判断するステップと、
前記送風温度が前記第４所定温度値より小さい場合、前記外気調和機の排気風速を０風速に調整するステップと、を含む、
ことを特徴とする請求項２に記載の外気調和機の冷風防止制御方法。
【請求項４】
前記第１風速は、前記送風温度および前記設定温度に基づいて設定され、具体的には、
前記送風温度と前記設定温度との差が第１所定差より小さいか否かを判断し、
前記送風温度と前記設定温度との差が前記第１所定差より小さい場合、前記第１風速が、前記外気調和機の最低許容風速レベルに対応する排気風速であり、
前記送風温度と前記設定温度との差が前記第１所定差以上である場合、さらに、前記送風温度と前記設定温度との差が、前記第１所定差より大きい第２所定差以下であるか否かを判断し、
前記送風温度と前記設定温度との差が前記第２所定差以下である場合、前記第１風速に対応する風速レベルが、前記設定風速に対応する風速レベルより２つのレベル低く、
前記送風温度と前記設定温度との差が前記第２所定差より大きい場合、前記第１風速に対応する風速レベルが、前記設定風速に対応する風速レベルより１つのレベル低い、
ことを特徴とする請求項２または３に記載の外気調和機の冷風防止制御方法。
【請求項５】
コンピュータプログラムが記憶されている非一時的なコンピュータ読み取り可能な記憶媒体であって、
当該プログラムがプロセッサによって実行される場合、請求項１〜４のいずれかに記載の外気調和機の冷風防止制御方法が実現される、
ことを特徴とする非一時的なコンピュータ読み取り可能な記憶媒体。
【請求項６】
外気調和機の暖房モードから冷房モードへの切り替え中に、前記外気調和機の設定温度、送風温度および前記外気調和機の室内熱交換器の中部温度をリアルタイムに取得するための温度取得モジュールと、
前記外気調和機の現在の排気風速と設定風速を取得するための風速取得モジュールと、
前記設定温度、前記送風温度、前記室内熱交換器の中部温度、前記現在の排気風速および前記設定風速に基づいて、前記外気調和機の排気風速を調整するための風速調整モジュールと、を含む、
ことを特徴とする外気調和機の冷風防止制御装置。
【請求項７】
前記風速調整モジュールは、
前記外気調和機の現在の排気風速が０風速である場合、前記送風温度と前記室内熱交換器の中部温度のうちの最大値が第１所定温度値より大きいか否かを判断し、前記送風温度と前記室内熱交換器の中部温度のうちの最大値が前記第１所定温度値より大きい場合、前記外気調和機の排気風速を０風速より大きくかつ前記設定風速より小さい第１風速に調整し、
前記外気調和機の現在の排気風速が前記第１風速である場合、前記送風温度が、前記第１所定温度値より大きい第２所定温度値より大きいか否かを判断し、前記送風温度が前記第２所定温度値より大きい場合、前記外気調和機の排気風速を前記設定風速に調整する、
ことを特徴とする請求項６に記載の外気調和機の冷風防止制御装置。
【請求項８】
前記風速調整モジュールは、
前記外気調和機の現在の排気風速が前記設定風速である場合、前記送風温度が第３所定温度値より小さいか否かを判断し、前記送風温度が前記第３所定温度値より小さい場合、  前記外気調和機の排気風速を前記第１風速に調整し、
前記外気調和機の現在の排気風速が前記第１風速である場合、前記送風温度が、前記第３所定温度値より小さい第４所定温度値より小さいか否かを判断し、前記送風温度が前記第４所定温度値より小さい場合、前記外気調和機の排気風速を０風速に調整する、
ことを特徴とする請求項７に記載の外気調和機の冷風防止制御装置。
【請求項９】
前記風速調整モジュールは、前記送風温度および前記設定温度に基づいて前記第１風速を設定し、
前記風速調整モジュールは前記送風温度と前記設定温度との差が第１所定差より小さいか否かを判断し、
前記送風温度と前記設定温度との差が前記第１所定差より小さい場合、前記第１風速が、前記外気調和機の最低許容風速レベルに対応する排気風速であり、
前記送風温度と前記設定温度との差が前記第１所定差以上である場合、前記風速調整モジュールは、さらに、前記送風温度と前記設定温度との差が、前記第１所定差より大きい第２所定差以下であるか否かを判断し、
前記送風温度と前記設定温度との差が前記第２所定差以下である場合、前記第１風速に対応する風速レベルが、前記設定風速に対応する風速レベルより２つのレベル低く、
前記送風温度と前記設定温度との差が前記第２所定差より大きい場合、前記第１風速に対応する風速レベルが、前記設定風速に対応する風速レベルより１つのレベル低い、
ことを特徴とする請求項７または８に記載の外気調和機の冷風防止制御装置。
【請求項１０】
請求項６〜９のいずれかに記載の外気調和機の冷風防止制御装置を含む、
ことを特徴とする外気調和機。
【発明の詳細な説明】
【技術分野】
【０００１】
本発明は、空気調和の技術分野に関し、特に、外気調和機の冷風防止制御方法、非一時的なコンピュータ読み取り可能な記憶媒体、外気調和機の冷風防止制御装置および外気調和機に関する。
【背景技術】
【０００２】
外気調和機は、暖房時の霜取り運転、暖房から冷房モードへの油戻し運転などの場合、冷風の排出を防止するために、通常、冷風防止稼動状態に移行するように制御される。
【０００３】
現在、関連の外気調和機の冷風防止制御手段は、通常の空調機室内機の手段が多く利用されている。具体的に、現在の室内熱交換器の中部に設けられた温度センサで検出した温度値に基づいて、室内ファンをオン／オフすることや風速レベル切替の制御を行う。しかし、上記手段の使用により、以下の問題が生じる。１）ファンがオフになっている場合、中部の温度センサにより検出される温度値が快速に上昇し、冷風防止ファンがオンになりやすい。一方、ファンが稼動すると、最小風速レベルで稼動しても、中部の温度センサにより検出される温度値が快速に減少し、ファンが再びオフ状態になる。このように、ファンのオン／オフが頻繁に行われる。２）ファンがオン状態であり、３７℃以上の送風温度の送風が１０分続いたと検出しても、中部の温度センサで検出される温度値が相変わらず低く、ファンが長時間で低速稼動状態に維持され、風速レベルの切替時間が長くなる。
【発明の概要】
【発明が解決しようとする課題】
【０００４】
本発明は、上記技術における技術的課題の１つを少なくともある程度で解決することを目的とする。そのために、本発明の第１の目的は、排気風速の調整時間の短縮、ファンのオン／オフ頻度の減少、冷風防止効果の大幅向上ができる外気調和機の冷風防止制御方法を提供する。
【０００５】
本発明の第２の目的は、非一時的なコンピュータ読み取り可能な記憶媒体を提供する。
【０００６】
本発明の第３の目的は、外気調和機の冷風防止制御装置を提供する。
【０００７】
本発明の第４の目的は、外気調和機を提供する。
【課題を解決するための手段】
【０００８】
上記の目的を達成するために、本発明の第１の側面の実施例は、
外気調和機の暖房モードから冷房モードへの切り替え中に、外気調和機の設定温度、送風温度および外気調和機の室内熱交換器の中部温度をリアルタイムに取得するステップと、
外気調和機の現在の排気風速と設定風速を取得するステップと、
設定温度、送風温度、前記室内熱交換器の中部温度、現在の排気風速および設定風速に基づいて、外気調和機の排気風速を調整するステップと、を含む、
外気調和機の冷風防止制御方法を提供する。
【０００９】
本発明の実施例の外気調和機の冷風防止制御方法において、検出した設定温度、送風温度、外気調和機の室内熱交換器の中部温度、現在の排気風速および設定風速などのパラメータに基づいて、外気調和機の排気風速を調整することによって、排気風速の調整時間を短縮させ、ファンのオン／オフ頻度を減少させ、冷風防止効果を大幅に向上させることができる。
【００１０】
また、本発明の上記実施例の外気調和機の冷風防止制御方法は、以下の付加的な技術的構成を有する。
【００１１】
具体的に、前記設定温度、送風温度、外気調和機の室内熱交換器の中部温度、前記現在の排気風速および前記設定風速に基づいて、前記外気調和機の排気風速を調整するステップは、前記外気調和機の現在の排気風速が０風速である場合、前記送風温度と前記室内熱交換器の中部温度のうちの最大値が第１所定温度値より大きいか否かを判断するステップと、前記送風温度と前記室内熱交換器の中部温度のうちの最大値が前記第１所定温度値より大きい場合、前記外気調和機の排気風速を、０風速より大きくかつ前記設定風速より小さい第１風速に調整するステップと、前記外気調和機の現在の排気風速が前記第１風速である場合、前記送風温度が、前記第１所定温度値より大きい第２所定温度値より大きいか否かを判断するステップと、前記送風温度が前記第２所定温度値より大きい場合、前記外気調和機の排気風速を前記設定風速に調整するステップと、を含む。
【００１２】
さらに、前記設定温度、送風温度、外気調和機の室内熱交換器の中部温度、前記現在の排気風速および前記設定風速に基づいて、前記外気調和機の排気風速を調整するステップは、前記外気調和機の現在の排気風速が前記設定風速である場合、前記送風温度が第３所定温度値より小さいか否かを判断するステップと、前記送風温度が前記第３所定温度値より小さい場合、前記外気調和機の排気風速を前記第１風速に調整するステップと、前記外気調和機の現在の排気風速が前記第１風速である場合、前記送風温度が、前記第３所定温度値より小さい第４所定温度値より小さいか否かを判断するステップと、前記送風温度が前記第４所定温度値より小さい場合、前記外気調和機の排気風速を０風速に調整するステップと、を含む。
【００１３】
さらに、前記第１風速は、前記送風温度および前記設定温度に基づいて設定され、
前記送風温度と前記設定温度との差が第１所定差より小さいか否かを判断し、
前記送風温度と前記設定温度との差が前記第１所定差より小さい場合、前記第１風速が、前記外気調和機の最低許容風速レベルに対応する排気風速であり、
前記送風温度と前記設定温度との差が前記第１所定差以上である場合、さらに、前記送風温度と前記設定温度との差が、前記第１所定差より大きい第２所定差以下であるか否かを判断し、前記送風温度と前記設定温度との差が前記第２所定差以下である場合、前記第１風速に対応する風速レベルが、前記設定風速に対応する風速レベルより２つのレベルだけ低く、前記送風温度と前記設定温度との差が前記第２所定差より大きい場合、前記第１風速に対応する風速レベルが、前記設定風速に対応する風速レベルより１つのレベル低い。
【００１４】
上記の目的を達成するために、本発明の第２の側面の実施例は、コンピュータプログラムが記憶されている非一時的なコンピュータ読み取り可能な記憶媒体を提供する。当該コンピュータプログラムがプロセッサによって実行される場合、本発明の第１の方面の実施例に記載の外気調和機の冷風防止制御方法が実現される。
【００１５】
本発明の実施例の非一時的なコンピュータ読み取り可能な記憶媒体は、記憶されているコンピュータプログラムの実行によって、排気風速の調整時間を短縮させ、ファンのオン／オフ頻度を減少させ、冷風防止効果を大幅に向上させることができる。
【００１６】
上記の目的を達成するために、本発明の第３の側面の実施例は、
外気調和機の暖房モードから冷房モードへの切り替え中に、前記外気調和機の設定温度、送風温度および前記室内熱交換器の中部温度をリアルタイムに取得するための温度取得モジュールと、前記外気調和機の現在の排気風速と設定風速を取得するための風速取得モジュールと、前記設定温度、送風温度、前記室内熱交換器の中部温度、前記現在の排気風速および前記設定風速に基づいて、前記外気調和機の排気風速を調整するための風速調整モジュールと、を含む、外気調和機の冷風防止制御装置を提供する。
【００１７】
本発明の実施例の外気調和機の冷風防止制御装置において、風速調整モジュールは、温度取得モジュールで取得した外気調和機の設定温度、送風温度、室内熱交換器の中部温度および風速取得モジュールにより取得された外気調和機の現在の排気風速および設定風速に基づいて、外気調和機の排気風速を調整することができる。これにより、排気風速の調整時間を短縮させ、ファンのオン／オフ頻度を減少させ、冷風防止効果を大幅に向上させることができる。
【００１８】
また、本発明の上記実施例の外気調和機の冷風防止制御装置は、以下の付加的技術的構成を有する。
【００１９】
具体的に、前記風速調整モジュールは、
前記外気調和機の現在の排気風速が０風速である場合、前記送風温度と前記室内熱交換器の中部温度のうちの最大値が第１所定温度値より大きいか否かを判断し、前記送風温度と前記室内熱交換器の中部温度のうちの最大値が前記第１所定温度値より大きい場合、前記外気調和機の排気風速を、０風速より大きくかつ前記設定風速より小さい第１風速に調整し、
前記外気調和機の現在の排気風速が前記第１風速である場合、前記送風温度が、前記第１所定温度値より大きい第２所定温度値より大きいか否かを判断し、前記送風温度が前記第２所定温度値より大きい場合、前記外気調和機の排気風速を前記設定風速に調整する。
【００２０】
さらに、前記風速調整モジュールは、
前記外気調和機の現在の排気風速が前記設定風速である場合、前記送風温度が第３所定温度値より小さいか否かを判断し、前記送風温度が前記第３所定温度値より小さい場合、前記外気調和機の排気風速を前記第１風速に調整し、
前記外気調和機の現在の排気風速が前記第１風速である場合、前記送風温度が、前記第３所定温度値より小さい第４所定温度値より小さいか否かを判断し、前記送風温度が前記第４所定温度値より小さい場合、前記外気調和機の排気風速を０風速に調整する。
【００２１】
さらに、前記風速調整モジュールは、
前記送風温度および前記設定温度に基づいて前記第１風速を設定し、具体的には、
前記風速調整モジュールは、前記送風温度と前記設定温度との差が第１所定差より小さいか否かを判断し、
前記送風温度と前記設定温度との差が前記第１所定差より小さい場合、前記第１風速が、前記外気調和機の最低許容風速レベルに対応する排気風速であり、
前記送風温度と前記設定温度との差が前記第１所定差以上である場合、前記風速調整モジュールは、さらに、前記送風温度と前記設定温度との差が、前記第１所定差より大きい第２所定差以下であるか否かを判断し、
前記送風温度と前記設定温度との差が前記第２所定差以下である場合、前記第１風速に対応する風速レベルが、前記設定風速に対応する風速レベルより２つのレベルだけ低く、
前記送風温度と前記設定温度との差が前記第２所定差より大きい場合、前記第１風速に対応する風速レベルが、前記設定風速に対応する風速レベルより１つのレベル低い。
【００２２】
上記の目的を達成するために、本発明の第４の側面は、本発明の第２の方面の実施例の外気調和機の冷風防止制御装置を含む外気調和機を提供する。
【発明の効果】
【００２３】
本発明の実施例の外気調和機は、排気風速の調整時間を短縮させ、ファンのオン／オフ頻度を減少させ、冷風防止効果を大幅に向上させることができる。
【図面の簡単な説明】
【００２４】
【図１】本発明の実施例によって提供される外気調和機の冷風防止制御方法のフローチャート模式図である。
【図２】本発明の一実施例によって提供される外気調和機の排気風速調整プロセスの模式図である。
【図３】本発明の実施例によって提供される外気調和機の冷風防止制御装置のブロック模式図である。
【発明を実施するための形態】
【００２５】
以下、本発明の実施例について詳細に説明し、前記実施例の例が図面に示されている。同一又は類似の符号は常に同一又は類似の要素を表す。以下に図面を参照ながら説明された実施例は、例示するものであり、本発明を解釈するためのものであり、本発明を限定するものであると理解してはならない。
【００２６】
本発明の実施例の外気調和機の冷風防止制御方法、装置および外気調和機を、図面を参照しながら以下に説明する。
【００２７】
図１は、本発明の実施例によって提供される外気調和機の冷風防止制御方法のフローチャート模式図である。
【００２８】
図１に示すように、本発明の実施例の外気調和機の冷風防止制御方法は、以下のＳ１〜Ｓ３を含む。
【００２９】
Ｓ１において、外気調和機の暖房モードから冷房モードへの切り替え中に、外気調和機の設定温度ＴＳ、送風温度ＴＡおよび外気調和機の室内熱交換器の中部温度Ｔ２をリアルタイムに取得する。
【００３０】
具体的に、外気調和機は、暖房時の霜取り運転、暖房モードから冷房モードへの油戻し運転などの場合、ユーザから操作パネルやリモコンで設定した設定温度ＴＳを取得し、中部の温度センサによって、外気調和機の室内熱交換器の中部温度Ｔ２を取得し、送風温度センサによって、送風温度ＴＡを取得する。
【００３１】
Ｓ２において、外気調和機の現在の排気風速と設定風速を取得する。
【００３２】
本発明の一実施例において、ユーザから操作パネルやリモコンで設定した設定温度を取得して記憶し、後続の制御に用いられる。ここで、段階的な風速レベルによって設定風速を設定することができる。たとえば、ユーザは、リモコンによってレベル１、レベル２、レベル３、…、レベルｎを選択し、レベル１、レベル２、レベル３、…、レベルｎに対応する風速に設定風速を設定する。無段階の風速値によって設定風速を設定してもよい。たとえば、ユーザは、リモコンによってパーセント数値を設定し、最大許容風速のあるパーセント数値に設定風速を設定する。
【００３３】
ここで、本発明の目的を達成するために、本発明の実施例において、ユーザから操作パネルやリモコンで設定した設定風速は、外気調和機の現在の排気風速に相違する可能性がある。
【００３４】
Ｓ３において、設定温度ＴＳ、送風温度ＴＡ、外気調和機の室内熱交換器の中部温度Ｔ２、現在の排気風速および設定風速に基づいて、外気調和機の排気風速を調整する。
【００３５】
具体的に、図２に示すように、外気調和機の現在の排気風速が０風速であり、すなわちファンがオフになっている場合、送風温度ＴＡと室内熱交換器の中部温度Ｔ２のうちの最大値ｍａｘ（Ｔ２，ＴＡ）を判断条件とし、具体的に、送風温度ＴＡと室内熱交換器の中部温度Ｔ２のうちの最大値ｍａｘ（Ｔ２，ＴＡ）が第１所定温度値ａより大きいか否かを判断する。送風温度ＴＡと室内熱交換器の中部温度Ｔ２のうちの最大値ｍａｘ（Ｔ２，ＴＡ）が第１所定温度値ａより大きい場合、外気調和機の排気風速を０風速より大きくかつ設定風速より小さい第１風速に調整する。
【００３６】
図２に示すように、外気調和機の現在の排気風速が第１風速である場合、送風温度ＴＡを判断条件とし、具体的に送風温度ＴＡが、第１所定温度値より大きい第２所定温度値ｂより大きいか否かを判断する。送風温度ＴＡが第２所定温度値ｂより大きい場合、外気調和機の排気風速を設定風速に調整する。
【００３７】
図２に示すように、外気調和機の現在の排気風速が設定風速である場合、送風温度ＴＡを判断条件とし、具体的に送風温度ＴＡが第３所定温度値ｃより小さいか否かを判断する。送風温度ＴＡが第３所定温度値ｃより小さい場合、外気調和機の排気風速を第１風速に調整する。
【００３８】
図２に示すように、外気調和機の現在の排気風速が第１風速である場合、送風温度ＴＡを判断条件とし、具体的に送風温度ＴＡが、第３所定温度値ｃより小さい第４所定温度値ｄより小さいか否かを判断する。送風温度ＴＡが第４所定温度値ｄより小さい場合、外気調和機の排気風速を０風速に調整し、すなわちファンの稼動が停止する。
【００３９】
本発明の一実施例において、外気調和機の排気風速は、風速レベルの変更によって調整される。本発明の一実施例において、第１風速は、送風温度ＴＡおよび設定温度ＴＳに基づいて設定される。具体的に、送風温度ＴＡと設定温度ＴＳの差Δ（ＴＡ−ＴＳ）が第１所定差より小さいか否かを判断する。送風温度ＴＡと設定温度ＴＳの差Δ（ＴＡ−ＴＳ）が第１所定差より小さい場合、第１風速は、外気調和機の最低許容風速レベルに対応する排気風速である。送風温度ＴＡと設定温度ＴＳの差Δ（ＴＡ−ＴＳ）が第１所定差以上である場合、さらに、送風温度ＴＡと設定温度ＴＳの差Δ（ＴＡ−ＴＳ）が、第１所定差より大きい第２所定差以下であるか否かを判断する。送風温度ＴＡと設定温度ＴＳの差Δ（ＴＡ−ＴＳ）が第２所定差以下である場合、第１風速に対応する風速レベルは、設定風速に対応する風速レベルより２つのレベルだけ低い。送風温度ＴＡと設定温度ＴＳの差Δ（ＴＡ−ＴＳ）が第２所定差より大きい場合、第１風速に対応する風速レベルは、設定風速に対応する風速レベルより１つのレベル低い。
【００４０】
たとえば、表１に示すように、第１所定差は、４℃を取り、第２所定差は、６℃を取る。送風温度ＴＡと設定温度ＴＳの差Δ（ＴＡ−ＴＳ）が４℃より小さい場合、第１風速に対応する風速レベルは、最小風速レベルである。送風温度ＴＡと設定温度ＴＳの差Δ（ＴＡ−ＴＳ）が４℃以上かつ６℃以下であると、第１風速に対応する風速レベルは、設定風速に対応する風速レベルより２つのレベルだけ低い。送風温度ＴＡと設定温度ＴＳの差Δ（ＴＡ−ＴＳ）が６℃より大きい場合、第１風速に対応する風速レベルは、設定風速に対応する風速レベルより１つのレベル低い。
【００４１】
【表１】
2020505577.tif 000003
【００４２】
なお、上記の第１所定温度ａ、第２所定温度ｂ、第３所定温度ｃおよび第４所定温度ｄは、排気風速調整の臨界値として、固定値ではなく、異なる地域で気候やユーザのニーズに応じて、外部の入力デバイス（たとえばワイヤコントローラ）によって調整される。
【００４３】
本発明の実施例の外気調和機の冷風防止制御方法において、検出した設定温度、送風温度、外気調和機の室内熱交換器の中部温度、現在の排気風速および設定風速などのパラメータに基づいて、外気調和機の排気風速を調整することによって、排気風速の調整時間を短縮させ、ファンのオン／オフ頻度を減少させ、冷風防止効果を大幅に向上させることができる。
【００４４】
上記の実施例に対応して、本発明は、さらに、非一時的なコンピュータ読み取り可能な記憶媒体を提供する。
【００４５】
本発明の実施例の非一時的なコンピュータ読み取り可能な記憶媒体には、コンピュータプログラムが記憶されている。当該コンピュータプログラムがプロセッサによって実行される場合、本発明の上記実施例に記載の外気調和機の冷風防止制御方法が実現される。
【００４６】
本発明の実施例の非一時的なコンピュータ読み取り可能な記憶媒体は、記憶されているコンピュータプログラムの実行によって、排気風速の調整時間を短縮させ、ファンのオン／オフ頻度を減少させ、冷風防止効果を大幅に向上させることができる。
【００４７】
上記の実施例の外気調和機の冷風防止制御方法を実現するために、本発明は、さらに、外気調和機の冷風防止制御装置を提供する。
【００４８】
図３に示すように、本発明の実施例の外気調和機の冷風防止制御装置は、外気調和機の暖房モードから冷房モードへの切り替え中に、外気調和機の設定温度ＴＳ、送風温度ＴＡおよび外気調和機の室内熱交換器の中部温度Ｔ２をリアルタイムに取得するための温度取得モジュール１０と、外気調和機の現在の排気風速と設定風速を取得するための風速取得モジュール２０と、温度取得モジュール１０により取得された設定温度ＴＳ、送風温度ＴＡ、外気調和機の室内熱交換器の中部温度Ｔ２、風速取得モジュール２０で取得した現在の排気風速および設定風速に基づいて、外気調和機の排気風速を調整するための風速調整モジュール３０と、を含む。
【００４９】
本発明の一実施例において、風速取得モジュール２０は、ユーザから操作パネルやリモコンで設定した設定温度を取得して記憶し、後続制御に用いられる。ここで、段階的な風速レベルによって設定風速を設定することができる。たとえば、ユーザは、リモコンによってレベル１、レベル２、レベル３、…、レベルｎを選択し、レベル１、レベル２、レベル３、…、レベルｎに対応する風速に設定風速を設定する。無段階の風速値によって設定風速を設定してもよい。たとえば、ユーザは、リモコンによってパーセント数値を設定し、最大許容風速のあるパーセント数値に設定風速を設定する。
【００５０】
ここで、本発明の目的を達成するために、本発明の実施例において、ユーザから操作パネルやリモコンで設定した設定風速は、外気調和機の現在の排気風速に相違する可能性がある。
【００５１】
本発明の一実施例において、風速取得モジュール２０により取得された外気調和機の現在の排気風速が０風速であり、すなわちファンがオフになっている場合、温度取得モジュール１０で取得した送風温度ＴＡと室内熱交換器の中部温度Ｔ２のうちの最大値ｍａｘ（Ｔ２，ＴＡ）を判断条件とし、具体的に、風速調整モジュール３０は、温度取得モジュール１０により取得された送風温度ＴＡと室内熱交換器の中部温度Ｔ２のうちの最大値ｍａｘ（Ｔ２，ＴＡ）が第１所定温度値ａより大きいか否かを判断する。送風温度ＴＡと室内熱交換器の中部温度Ｔ２のうちの最大値ｍａｘ（Ｔ２，ＴＡ）が第１所定温度値ａより大きい場合、風速調整モジュール３０は、外気調和機の排気風速を０風速より大きくかつ設定風速より小さい第１風速に調整する。
【００５２】
風速取得モジュール２０により取得された外気調和機の現在の排気風速が第１風速である場合、温度取得モジュール１０により取得された送風温度ＴＡを判断条件とし、具体的に、風速調整モジュール３０は、送風温度ＴＡが、第１所定温度値より大きい第２所定温度値ｂより大きいか否かを判断する。送風温度ＴＡが第２所定温度値ｂより大きい場合、風速調整モジュール３０は、外気調和機の排気風速を設定風速に調整する。
【００５３】
風速取得モジュール２０により取得された外気調和機の現在の排気風速が設定風速である場合、温度取得モジュール１０により取得された送風温度ＴＡを判断条件とし、具体的に風速調整モジュール３０は、温度取得モジュール１０により取得された送風温度ＴＡが第３所定温度値ｃより小さいか否かを判断する。送風温度ＴＡが第３所定温度値ｃより小さい場合、風速調整モジュール３０は、外気調和機の排気風速を第１風速に調整する。
【００５４】
風速取得モジュール２０により取得された外気調和機の現在の排気風速が第１風速である場合、温度取得モジュール１０により取得された送風温度ＴＡを判断条件とし、具体的に風速調整モジュール３０は、送風温度ＴＡが、第３所定温度値ｃより小さい第４所定温度値ｄより小さいか否かを判断する。送風温度ＴＡが第４所定温度値ｄより小さい場合、風速調整モジュール３０は、外気調和機の排気風速を０風速に調整し、すなわちファンの稼動が停止する。
【００５５】
本発明の一実施例において、外気調和機の排気風速は、風速レベルの変更によって調整される。本発明の一実施例において、第１風速は、送風温度ＴＡおよび設定温度ＴＳに基づいて設定される。具体的に、風速調整モジュール３０は、送風温度ＴＡと設定温度ＴＳの差Δ（ＴＡ−ＴＳ）が第１所定差より小さいか否かを判断する。送風温度ＴＡと設定温度ＴＳの差Δ（ＴＡ−ＴＳ）が第１所定差より小さい場合、第１風速を、外気調和機の最低許容風速レベルに対応する排気風速に設定する。送風温度ＴＡと設定温度ＴＳの差Δ（ＴＡ−ＴＳ）が第１所定差以上である場合、風速調整モジュール３０は、送風温度ＴＡと設定温度ＴＳの差Δ（ＴＡ−ＴＳ）が、第１所定差より小さい第２所定差以下であるか否かを判断する。送風温度ＴＡと設定温度ＴＳの差Δ（ＴＡ−ＴＳ）が第２所定差以下である場合、第１風速に対応する風速レベルは、設定風速に対応する風速レベルより２つのレベルだけ低い。送風温度ＴＡと設定温度ＴＳの差Δ（ＴＡ−ＴＳ）が第２所定差より大きい場合、第１風速に対応する風速レベルは、設定風速に対応する風速レベルより１つのレベル低い。
【００５６】
たとえば、表１に示すように、第１所定差は、４℃を取り、第２所定差は、６℃を取る。風速調整モジュール３０が、送風温度ＴＡと設定温度ＴＳの差Δ（ＴＡ−ＴＳ）が４℃より小さい場合判断すると、第１風速に対応する風速レベルは、最小風速レベルである。風速調整モジュール３０が送風温度ＴＡと設定温度ＴＳの差Δ（ＴＡ−ＴＳ）が４℃以上かつ６℃以下であると判断すると、第１風速に対応する風速レベルは、設定風速に対応する風速レベルより２つのレベルだけ低い。風速調整モジュール３０が送風温度ＴＡと設定温度ＴＳの差Δ（ＴＡ−ＴＳ）が６℃より大きい場合判断すると、第１風速に対応する風速レベルは、設定風速に対応する風速レベルより１つのレベル低い。
【００５７】
なお、上記の第１所定温度ａ、第２所定温度ｂ、第３所定温度ｃおよび第４所定温度ｄは、排気風速調整の臨界値として、固定値ではなく、異なる地域で気候やユーザのニーズに応じて、外部の入力デバイス（たとえばワイヤコントローラ）によって調整される。
【００５８】
本発明の実施例の外気調和機の冷風防止制御装置において、風速調整モジュールは、温度取得モジュールにより取得された外気調和機の設定温度、送風温度、室内熱交換器の中部温度および風速取得モジュールにより取得された外気調和機の現在の排気風速および設定風速に基づいて、外気調和機の排気風速を調整することができる。これにより、排気風速の調整時間を短縮させ、ファンのオン／オフ頻度を減少させ、冷風防止効果を大幅に向上させることができる。
【００５９】
上記の実施例に対応して、本発明は、さらに、外気調和機を提供する。
【００６０】
本発明の実施例の外気調和機は、本発明の上記実施例の外気調和機の冷風防止制御装置を含み、その具体的な実施形態について、上記の実施例を参照されたく、ここでは詳しく説明しない。
【００６１】
本発明の実施例の外気調和機は、排気風速の調整時間を短縮させ、ファンのオン／オフ頻度を減少させ、冷風防止効果を大幅に向上させることができる。
【００６２】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利にまたは簡単に説明するために使用されるものであり、指定された装置又は部品が特定の方位にあり、特定の方位において構造され操作されると指示又は暗示するものではないので、本発明に対する限定と理解してはいけない。
【００６３】
なお、「第１」、「第２」の用語は目的を説明するためだけに用いられるものであり、比較的な重要性を指示又は暗示するか、或いは示された技術的特徴の数を黙示的に指示すると理解してはいけない。そこで、「第１」、「第２」が限定されている特徴は一つ又はより多くの前記特徴を含むことを明示又は暗示するものである。本発明の説明において、明確且つ具体的な限定がない限り、「複数」とは、二つ又は二つ以上のことを意味する。
【００６４】
本発明の説明において、明確な規定と限定がない限り、「取り付け」、「つながる」、「接続」、「固定」などの用語の意味は広く理解されるべきである。例えば、固定接続や、着脱可能な接続や、あるいは一体的な接続でも可能である。机械的な接続や、電気的な接続も可能である。直接的に接続することや、中間媒体を介して間接的に接続することや、二つの部品の内部が連通することや、あるいは二つの部品の間に相互の作用関係があることも可能である。当業者にとって、具体的な場合によって上記用語の本発明においての具体的な意味を理解することができる。
【００６５】
本発明において、明確な規定と限定がない限り、第１特徴が第２特徴の「上」又は「下」にあることは、第１特徴と第２特徴とが直接的に接触することを含んでも良いし、第１特徴と第２特徴とがそれらの間の別の特徴を介して接触することを含んでもよい。また、第１特徴が第２特徴の「上」、「上方」又は「上面」にあることは、第１特徴が第２特徴の真上及び斜め上にあることを含むか、或いは、単に第１特徴の水平高さが第２特徴より高いことを表す。第１特徴が第２特徴の「下」、「下方」又は「下面」にあることは、第１特徴が第２特徴の真下及び斜め下にあることを含むか、或いは、単に第１特徴の水平高さが第２特徴より低いことを表す。
【００６６】
本発明の説明において、「一実施例」、「一部の実施例」、「例」、「具体的な例」、或いは「一部の例」などの用語を参考した説明とは、当該実施例或いは例に合わせて説明された具体的な特徴、構成、材料或いは特性が、本開示の少なくとも１つの実施例或いは例に含まれることである。本明細書において、上記用語に対する例示的な説明は、必ずしも同じ実施例或いは例を示すものではない。また、説明された具体的な特徴、構成、材料或いは特性は、いずれか１つ或いは複数の実施例又は例において適切に結合することができる。なお、相互に矛盾しない限り、当業者は、本明細書において説明された異なる実施例又は例、及び異なる実施例又は例の特徴を結合し、組み合わせることができる。
【００６７】
以上、本発明の実施例を示して説明したが、上記実施例は例示するものであって、本発明を制限するためのものであると理解してはいけない。普通の当業者であれば、本発明の範囲内で上記実施例に対して変更、修正、置換、変形を行うことができる。
【符号の説明】
【００６８】
１０  温度取得モジュール
２０  風速取得モジュール
３０  風速調整モジュール
【図１】
2020505577.tif 000004
【図２】
2020505577.tif 000005
【図３】
2020505577.tif 000006
【国際調査報告】
2020505577.tif 000007
2020505577.tif 000008
2020505577.tif 000009
2020505577.tif 000010
2020505577.tif 000011